(57)【要約】【課題】  初期トナーが十分に塗布されていない状態であってもクリーニングブレードの捲れの発生を防止するとともに、耐久使用に対するクリーニング性を確保する。【解決手段】  移動する感光体１１の表面に、感光体１１の移動方向と交差する方向に沿ってクリーニングブレード１４０を押し付けて、感光体１１の表面におけるトナーを除去するクリーニング装置において、クリーニングブレード１４０を感光体１１に対して回動可能に支持するブレード板金１４１と、クリーニング部材１４１を感光体１１に所定の当接圧を付与する引張バネ１４３と、ブレード板金１４１の回動状態と回動禁止状態とを切り替える切替部材としてのストッパー部材１４５を備えるようにした。【選択図】  図２
2016126045.tif 000002
【特許請求の範囲】
【請求項１】
移動する像保持部材の表面に、像保持部材の移動方向と交差する方向に沿ってクリーニングブレードを押し付けて、前記像保持部材の表面におけるトナーを除去するクリーニング装置において、前記クリーニングブレードを前記像保持部材に対して回動可能に支持する支持部材と、前記クリーニング部材を前記像保持部材に所定の当接圧を付与する付勢部材と、前記支持部材の回動状態と回動禁止状態とを切り替える切替部材と、を備えたことを特徴とするクリーニング装置。
【請求項２】
請求項１に記載のクリーニング装置において、前記切替部材は、前記支持部材と当接することにより、前記支持部材の回動を禁止するストッパー部材で構成されていることを特徴とするクリーニング装置。
【請求項３】
請求項２に記載のクリーニング装置において、前記支持部材の回動を禁止する位置と回動する位置とを選択して、前記ストッパー部材を移動させる移動装置を有することを特徴とするクリーニング装置。
【請求項４】
請求項１〜請求項３のいずれか１項に記載のクリーニング装置において、クリーニングブレードの摩耗状態に応じて、前記支持部材の回動状態と回動禁止状態とを切り替えることを特徴とするクリーニング装置。
【請求項５】
請求項１〜請求項３のいずれか１項に記載のクリーニング装置において、使用環境に応じて、前記支持部材の回動状態と回動禁止状態とを切り替えることを特徴とするクリーニング装置。
【請求項６】
請求項１〜請求項３のいずれか１項に記載のクリーニング装置において、印字状態に応じて、前記支持部材の回動状態と回動禁止状態とを切り替えることを特徴とするクリーニング装置。
【請求項７】
トナー画像を転写させた後の像保持部材の表面におけるトナーを、請求項１〜請求項６のいずれか1項に記載したクリーニング装置によって像保持部材の表面から除去することを特徴とする画像形成装置。
【発明の詳細な説明】
【技術分野】
【０００１】
本発明は、複写機やプリンター等の画像形成装置において、トナー画像を保持する感光体や中間転写体等の像保持部材からトナー画像を転写させた後、この像保持部材の表面におけるトナーを像保持部材の表面から除去するのに使用するクリーニング装置及びこのようなクリーニング装置を用いた画像形成装置に関するものである。特に、クリーニングブレードを像保持部材の表面に押し付けて、この像保持部材の表面におけるトナーを除去するにあたり、固定荷重方式とバネ荷重方式の利点を生かし、初期トナーが十分に塗布されていない状態であってもクリーニングブレードの捲れの発生を防止するとともに、耐久使用に対するクリーニング性を確保する点に特徴を有するものである。
【背景技術】
【０００２】
複写機やプリンター等の画像形成装置においては、像保持部材におけるトナーを除去するクリーニング装置が様々な場所に設けられている。例えば、感光体に形成されたトナー画像を中間転写ベルト等の中間転写体や記録シートに転写させた後、この感光体の表面に残留するトナーをクリーニング装置によって除去させることが行われており、また中間転写体に転写されたトナー画像を記録シートに転写させた後、この中間転写体の表面に残留するトナーをクリーニング装置によって除去させることが行われている。
【０００３】
ここで、このようなクリーニング装置においては、ゴム等の付勢部材を用いたクリーニングブレードを像保持部材に当接させる構成が一般的である。クリーニングブレードは、耐摩耗性を考慮してゴム等の弾性体からなり、先端エッジ部で像保持部材のトナーを効率よく除去するために、像保持部材の移動方向と対向する方向、いわゆるカウンター方向で当接するように配設されるものが大半である。
【０００４】
また、前記のクリーニングブレードを保持する形態としては、固定荷重方式とバネ荷重方式がある。
【０００５】
固定荷重方式のクリーニング装置７０は、図５に示すように、クリーニングブレード７１を保持するブレード板金７２をクリーニングハウジング７５等に直接固定し、クリーニングブレード７１を、所定の当接角θと当接圧力で感光体や中間転写体等の像保持部材８０に当接させている。
【０００６】
バネ荷重方式のクリーニング装置７０は、図６に示すように、クリーニングブレード７１を保持するブレード板金７２を回転軸７３でクリーニングハウジング７５等に回動自在に取り付け、このブレード板金７２をバネ７４により、図中Ａ矢印方向に回動するように付勢し、クリーニングブレード７１をバネ７４により像保持部材８０に押し付けるように付勢させて、像保持部材８０に所定の当接角θで当接させるようにしている。
【０００７】
ここで、像保持部材８０に対するクリーニングブレード７１の当接角θを大きくすれば、クリーニングブレード７１によるクリーニング能力が高くなって、像保持部材８０の表面におけるトナーの拭き残しが少なくなるが、逆にクリーニングブレード７１の捲れが発生しやすくなる。また、像保持部材８０に対するクリーニングブレード７１の当接圧力（ブレード圧）は、小さいと拭き残しが起こり、大きくなるとクリーニングブレード７１の捲れが発生する。
【０００８】
このため、像保持部材８０に対するクリーニングブレード７１の当接角θや当接圧力を、捲れも拭き残しも発生しない領域になるようにして、像保持部材８０にクリーニングブレード７１を当接させている。
【０００９】
ここで、前記のバネ荷重方式の場合、画像形成動作時の振動により、クリーニングブレード７１が像保持部材８０の方へ振れ、像保持部材８０への当接角θが変わり、クリーニングブレード７１の捲れが発生しやすい、すなわち、捲れが発生する限界への余裕度が少ない。一方、クリーニングブレード７１を回動自在に取り付け、バネ７４の付勢力により、像保持部材８０側へクリーニングブレード７１を当接させているので、拭き残し側の限界には余裕度が大きい。
【００１０】
一方、固定荷重方式の場合、クリーニングブレード７１を保持するブレード板金７２を直接固定しているため、画像形成動作時の振動によるブレード板金７２の振れが少ない。このため、クリーニングブレード７１の捲れが発生する限界には余裕度が大きい。一方、クリーニングブレード７１が摩耗すると当接力が小さくなるので、拭き残し側の限界には余裕が少ない。
【００１１】
また、クリーニングブレードの捲れは、クリーニングブレードのエッジ部に供給されるトナー量が適量以下になると発生することが分かっている。
【００１２】
このため、出荷時に、像保持部材に適量のトナーを塗布する方法がとられているが、このトナーが塗布されずに、出荷された場合には、クリーニングブレードの捲れが発生することがあった。
【００１３】
また、クリーニングブレードの捲れを抑制するために、特許文献１においては、クリーニングブレードが像保持部材に第一の角度でかつ所定の位置で当接する第一の姿勢と、第一の姿勢から退避しクリーニングブレードが像保持部材に第一の角度よりも小さい第二の角度で当接する第二の姿勢と、に揺動することができ、かつ、第一の姿勢となるようにバネにより付勢され、クリーニングブレードが像保持部材から受ける力が所定の値を超えると第一の姿勢から第二の姿勢へと退避するようにした装置が提案されている。
【００１４】
しかし、この特許文献１のものは、摩擦力が大きいときには、第二の姿勢へ待避するように構成されているが、バネ荷重方式で当接力を付与するように構成されているため、第二の姿勢の状態でも振動により、クリーニングブレードの当接角が変わり、クリーニングブレードに捲れが発生する虞があった。
【先行技術文献】
【特許文献】
【００１５】
【特許文献１】特開２０１３−２５１８０号公報
【発明の開示】
【発明が解決しようとする課題】
【００１６】
本発明は、複写機やプリンター等の画像形成装置において、感光体や中間転写体等の像保持部材からトナー画像を転写させた後、像保持部材の移動方向と交差する方向に沿った弾性材料で構成されたクリーニングブレードを像保持部材の表面に押し付けて、この像保持部材の表面におけるトナーを除去するようにしたクリーニング装置における上記のような問題を解決することを課題とするものである。
【００１７】
すなわち、本発明においては、上記のようにクリーニングブレードを像保持部材の表面に押し付けて、この像保持部材の表面におけるトナーを除去するにあたり、固定荷重方式とバネ荷重方式の利点を生かし、初期トナーが十分に塗布されていない状態であってもクリーニングブレードの捲れの発生を防止するとともに、耐久使用に対するクリーニング性を確保することを課題とする。
【課題を解決するための手段】
【００１８】
本発明に係るクリーニング装置においては、前記のような課題を解決するため、移動する像保持部材の表面に、像保持部材の移動方向と交差する方向に沿ってクリーニングブレードを押し付けて、前記像保持部材の表面におけるトナーを除去するクリーニング装置において、前記クリーニングブレードを前記像保持部材に対して回動可能に支持する支持部材と、前記クリーニング部材を前記像保持部材に押し付けるように付勢する付勢部材と、前記支持部材の回動状態と回動禁止状態とを切り替える切替部材と、を備えるようにした。
【００１９】
このように、クリーニングブレードを像保持部材に対して回動可能に支持する支持部材の回動状態と回動禁止状態とを切り替える切替部材とを備えることにより、固定荷重方式とバネ荷重方式を切り替えることができる。
【００２０】
ここで、前記切替部材としては、前記支持部材と当接することにより、前記支持部材の回動を禁止するストッパー部材を用いることができ、前記支持部材の回動を禁止する位置と回動する位置とを選択して、前記ストッパー部材を移動させる移動装置を設けるとよい。
【００２１】
また、上記のクリーニング装置においては、クリーニングブレードの摩耗状態に応じて、前記支持部材の回動状態と回動禁止状態とを切り替えるようにすることができる。
【００２２】
また、上記のクリーニング装置においては、使用環境に応じて、前記支持部材の回動状態と回動禁止状態とを切り替えるようにすることができる。
【００２３】
また、上記のクリーニング装置においては、印字状態に応じて、前記支持部材の回動状態と回動禁止状態とを切り替えるようにすることができる。
【００２４】
そして、本発明の画像形成装置においては、トナー画像を転写させた後の像保持部材の表面におけるトナーを、上記のようなクリーニング装置によって像保持部材の表面から除去するようにした。
【発明の効果】
【００２５】
本発明のクリーニング装置においては、クリーニングブレードを像保持部材に対して回動可能に支持する支持部材の回動状態と回動禁止状態とを切り替える切替部材とを備えることにより、固定荷重方式とバネ荷重方式を切り替えることができ、初期トナーが十分に塗布されていない状態であっても、クリーニングブレードの捲れの発生を防止することができるようになると共に、耐久使用時にクリーニング性能が低下するのも防止できるようになる。
【図面の簡単な説明】
【００２６】
【図１】本発明の実施形態に係るクリーニング装置を用いた画像形成装置により画像形成を行う状態を示した概略説明図である。
【図２】本発明の実施形態に係るクリーニング装置の説明図であり、（ａ）は、クリーニングブレードを支持するブレード板金（支持部材）の回動禁止状態を示し、（ｂ）は、クリーニングブレードを支持するブレード板金（支持部材）の回動状態を示している。
【図３】本発明の他の実施形態に係るクリーニング装置の説明図であり、（ａ）は、クリーニングブレードを支持するブレード板金（支持部材）の回動禁止状態を示し、（ｂ）は、クリーニングブレードを支持するブレード板金（支持部材）の回動状態を示している。
【図４】本発明の実施形態に係るクリーニング装置のクリーニングブレードを支持するブレード板金（支持部材）の回動状態と回動禁止状態とを切り替え制御する構成を示した制御ブロック図である。
【図５】従来の固定荷重方式のクリーニング装置を示した模式図である。
【図６】従来のバネ荷重方式のクリーニング装置を示した模式図である。
【発明を実施するための最良の形態】
【００２７】
次に、本発明の実施形態に係るクリーニング装置及び画像形成装置を添付図面に基づいて具体的に説明する。なお、本発明に係るクリーニング装置及び画像形成装置は、下記の実施形態に示したものに限定されず、その要旨を変更しない範囲において適宜変更して実施できるものである。
【００２８】
この実施形態に係る画像形成装置においては、図１に示すように、装置本体１内に４つの感光体（像保持部材）１１を設けると共に、各感光体１１に対応させて、感光体１１の表面を帯電させる帯電装置１２と、感光体１１にトナーを供給して感光体１１に形成された静電潜像を現像する現像装置１３と、感光体１１に形成されたトナー像を後述する中間転写ベルト（像保持部材）１８に転写させた後、感光体１１の表面に残留するトナーを回収する第１のクリーニング装置１４と、感光体１１の残留電荷を消去する除電部材１５を設けている。
【００２９】
そして、４つの感光体１１に対応させて設けた各現像装置１３においては、それぞれ現像剤中におけるトナーの色彩を異ならせ、黒色、黄色、マゼンダ色、シアン色のトナーを収容させている。
【００３０】
なお、図１においては、前記の感光体１１と、帯電装置１２と、現像装置１３と、第１のクリーニング装置１４と、除電部材１５とを個別に示しているが、この画像形成装置においては、これらを一体として設けたイメージングユニット１０の状態で、装置本体１内に着脱自在な状態で装着させるようにしている。
【００３１】
ここで、この画像形成装置においては、上記の各感光体１１を回転させて、各感光体１１の表面をそれぞれ帯電装置１２によって帯電させ、このように帯電された各感光体１１に対して、潜像形成装置１６により画像形成情報に従った露光を行い、各感光体１１の表面にそれぞれ静電潜像を形成するようにしている。
【００３２】
次いで、このように静電潜像が形成された各感光体１１に対して、それぞれ対応する現像装置１３から所定の色彩のトナーを、各感光体１１の静電潜像部分に供給して現像を行い、各感光体１１の表面にそれぞれの色彩のトナー像を形成するようにしている。
【００３３】
そして、前記のように各感光体１１に形成された各色彩のトナー像を、所要間隔を介して設けられた回転ローラー１７間に架け渡されて回転駆動される無端状の中間転写ベルト１８の表面に、前記の各感光体１１と対向して設けられた各一次転写ローラー１９により順々に一次転写させて、この中間転写ベルト１８の表面に各色彩のトナー像が合成されたトナー像を形成するようにしている。また、前記の中間転写ベルト１８に転写されずに各感光体１１の表面に残留しているトナーを、それぞれ対応して設けられた前記の第１のクリーニング装置１４により、各感光体１１の表面から回収するようにしている。
【００３４】
また、前記のように中間転写ベルト１８の上に形成されたトナー像を、この中間転写ベルト１８により二次転写ローラー２０と対向する位置に導くと共に、装置本体１の下部に収容された記録シートＳを、給紙ローラー２２により給紙してタイミングローラー２３に送り、このタイミングローラー２３により記録シートＳを適当なタイミングで中間転写ベルト１８と二次転写ローラー２０との間に導き、中間転写ベルト１８の上に形成されたトナー像を前記の二次転写ローラー２０により記録シートＳに転写させるようにしている。また、記録シートＳに転写されずに前記の中間転写ベルト１８の上に残ったトナーを、第２のクリーニング装置２１によって中間転写ベルト１８の上から回収するようにしている。
【００３５】
そして、前記のようにトナー像が転写された記録シートＳを定着装置２４に導き、この定着装置２４により記録シートＳに転写された前記のトナー像を記録シートＳに加熱定着させた後、このようにトナー像が定着された記録シートＳを排紙ローラー２５により排紙させるようにしている。
【００３６】
次に、本発明の実施形態に係る第１のクリーニング装置１４について具体的に説明する。
【００３７】
ここで、図２（ａ），（ｂ）に示す第１のクリーニング装置１４においては、クリーニングブレード１４０が取り付けられるブレード板金（支持部材）１４１を回転軸１４２でクリーニングハウジング１４４に回動自在に取り付け、クリーニングブレード１４０を感光体１１に対して回動可能に支持している。
【００３８】
また、クリーニングブレード１４０は、感光体１１の移動方向と交差する方向、すなわち感光体１１の軸方向に沿って配置され、その先端エッジ部が感光体１１の移動方向と対向する方向、いわゆるカウンター方向で当接するようにして、感光体１１の表面に押し付けるようにしている。
【００３９】
また、前記のブレード板金１４１には、クリーニングブレード１４０の先端エッジ部を感光体１１の表面に押圧させる付勢部材として引張バネ１４３が取り付けられ、この引張バネ１４３の付勢力により、ブレード板金１４１を図中矢印Ａ方向に回動させるように支持し、クリーニングブレード１４０の先端エッジ部を感光体１１の表面に押圧させるようにしている。
【００４０】
また、ブレード板金１４１の回動状態と回動禁止状態とを切り替える切替部材としてストッパー部材４１５を設け、ストッパー部材１４５を移動させる移動装置としてアクチュエーター１４６を設け、このアクチュエーター１４６により、ストッパー部材１４５をブレード板金１４１の下に導いてブレード板金１４１に当接させ、ブレード板金１４１の回動を禁止する状態と、ストッパー部材１４５をブレード板金１４１の下から取り出して、ブレード板金１４１が回動できる状態とに切り替えるようにしている。
【００４１】
そして、図２（ａ）に示すように、ストッパー部材１４５をブレード板金１４１の下に導いてブレード板金１４１に当接させ、ブレード板金１４１の回動を禁止した状態では、従来の固定荷重方式の場合と同様の荷重方式となり、クリーニングブレード１４０の当接角θが固定された状態となり、画像形成動作時の振動によるブレード板金１４１の振れが抑制されて、クリーニングブレード７１の捲れが発生するのが防止されるようになる。
【００４２】
一方、図２（ｂ）に示すように、ストッパー部材１４５をブレード板金１４１の下から取り出して、ブレード板金１４１が回動できる状態では、従来のバネ荷重方式の場合と同様の荷重方式となり、クリーニングブレード１４０の先端エッジ部が摩耗した場合等においても、前記の引張バネ１４３の付勢力により、クリーニングブレード１４０の先端エッジ部が感光体１１の表面に適切に押圧されて、感光体１１の表面に残留するトナーが適切に除去されるようになる。
【００４３】
そして、クリーニングブレード１４０の捲れが発生しにくいクリーニングブレード１４０の使用当初においては、図２（ａ）に示すように、ストッパー部材１４５をブレード板金１４１の下に導いてブレード板金１４１に当接させて、ブレード板金１４１の回動を禁止し、従来の固定荷重方式と同様に、クリーニングブレード１４０の捲れが発生しにくい状態で、感光体１１の表面に残留するトナーをクリーニングブレード１４０によって除去させるようにする。一方、クリーニングブレード１４０の先端エッジ部が摩耗した場合等においては、図２（ｂ）に示すように、ストッパー部材１４５をブレード板金１４１の下から取り出して、ブレード板金１４１が回動できる状態にし、従来のバネ荷重方式と同様に、クリーニングブレード１４０の先端エッジ部が感光体１１の表面に適切に押圧させ、感光体１１の表面に残留するトナーを安定して適切に除去させるようになる。
【００４４】
なお、ブレード板金１４１の回動状態と回動禁止状態とを切り替える方法は、前記のようなものに限定されず、例えば、図３（ａ），（ｂ）に示すように、切替部材として、ブレード板金１４１の端部が挿入される凹部１４５ｂを有するストッパー部材１４５ａを用いるようにすることもできる。なお、このストッパー部材１４５ａの凹部１４５ｂは、テーパー状に形成され、ブレード板金１４１の端部が挿入される際に余裕を持たせるように構成している。
【００４５】
そして、従来の固定荷重方式の場合と同様の荷重方式にする場合には、図３（ａ）に示すように、アクチュエーター１４６により、前記のストッパー部材１４５ａをブレード板金１４１に向けて移動させて、ストッパー部材１４５ａの凹部１４５ｂ内にブレード板金１４１の端部を挿入させ、ストッパー部材１４５ａによりブレード板金１４１が回動するのを禁止させるようにする。
【００４６】
一方、従来のバネ荷重方式の場合と同様の荷重方式にする場合には、図３（ｂ）に示すように、アクチュエーター１４６により、ストッパー部材１４５ａをブレード板金１４１から離れる方向に移動させて、ストッパー部材１４５ａの凹部１４５ｂ内からブレード板金１４１の端部を取り出し、ブレード板金１４１が回動できる状態にする。
【００４７】
なお、上記の実施形態においては、感光体１１をクリーニングする第１のクリーニング装置１４について説明したが、中間転写ベルト１８をクリーニングする第２のクリーニング装置２１も同様に構成することができる。
【００４８】
次に、ブレード板金１４１の回動を禁止する位置と回動する位置との切替を制御する動作を図４の制御ブロック図に従い説明する。
【００４９】
電子写真プロセスにより記録シートに画像を形成する画像形成装置を制御する制御部１００に、ブレード板金の回動を禁止する位置と回動する位置を制御するさせるようにする。この制御部１００は、画像読み取り、画像処理、画像形成処理などの通常の画像形成装置の制御を行うと共に、ブレード板金１４１の回動を禁止する位置と回動する位置とに切り替えるために、ストッパー部材１４５（１４５ａ）を移動させるアクチュエーター１４６の動作を制御させる。
【００５０】
制御部１００は、ＣＰＵ１０１、ＲＯＭ１０２、ＲＡＭ１０３等を備えている。ＣＰＵ１０１は、ＲＯＭ１０２から処理内容に応じたプログラムを読み出してＲＡＭ１０３に展開し、展開したプログラムと協働して画像形成装置の各動作を制御する。
【００５１】
本実施形態では、制御部１００は、摩耗状態算出部１１０、環境検出部１１１、画像情報入力部１１２からの出力が与えられる。摩耗状態算出部１１０は、印字枚数、トナーの消費状態、原稿の印字率等のデーターに基づき、クリーニングブレード１４０のエッジがどの程度摩耗したかを推定して算出し、その結果を制御部１００に与える。環境検出部１１１は、温度、湿度の環境状況を検出して、その検出結果を制御部１００へ与える。画像情報入力部１１２は、印字される情報に基づいてトナー使用量を制御部１００に与える。
【００５２】
一方、制御部１００は、摩耗状態算出部１１０、環境検出部１１１、画像情報入力部１１２からの出力に応じてアクチュエーター動作部１１３を制御し、アクチュエーター１４６を動作させて、ブレード板金１４１の回動を禁止する位置又は回動する位置にストッパー部材１４５（１４５ａ）を移動させる。
【００５３】
摩耗状態算出部１１０からの出力により、制御部１００は、初期状態のクリーニングブレード１４０からエッジ部がある程度摩耗するまでは、固定荷重方式と同様の荷重方式となるように、ストッパー部材１４５（１４５ａ）とブレード板金１４１とが当接する位置に移動した状態を保つ。そして、摩耗状態算出部１１０からの出力により、クリーニングブレード１４０がある程度摩耗したと制御部１００が判断すると、アクチュエーター動作部１１３を動作させ、ブレード板金１４１とストッパー部材１４５（１４５ａ）との当接を解除し、ブレード板金１４１を回動状態とし、バネ荷重方式に変更する。このように、クリーニングブレード１４０がある程度摩耗しても拭き残しが無いように、像保持部材１１にクリーニングブレードをバネ荷重方式で当接させる。
【００５４】
また、環境検出部１１１からの出力により、所定の温度、湿度を超える高温又は高湿状態になったと制御部１００が判断すると、像保持部材１１とクリーニングブレード１４０との間の摩擦力が低減するので、アクチュエーター動作部１１３を動作させ、ブレード板金１４１とストッパー部材１４５（１４５ａ）との当接を解除し、ブレード板金１４１を回動状態とし、バネ荷重方式に変更する。
【００５５】
また、画像情報入力部１１２の出力により、印字される画像情報がトナーの使用量が少ない情報であり、像保持部材１１（１８）表面のトナーが少なくなると制御部１００が判断すると、アクチュエーター動作部１１３を動作させ、ブレード板金１４１とストッパー部材１４５（１４５ａ）とが当接するように、ストッパー部材１４５（１４５ａ）を移動させ、ブレード板金１４１の回動を禁止状態とし、固定荷重方式と同様の荷重方式に変更する。一方、通常の印字状態が続くと、アクチュエーター動作部１１３を動作させ、ブレード板金１４１とストッパー部材１４５（１４５ａ）との当接を解除し、ブレード板金１４１を回動状態とし、バネ荷重方式に変更する。
【符号の説明】
【００５６】
１      装置本体
１０    イメージングユニット
１１    感光体（像保持部材）
１２    帯電装置
１３    現像装置
１４    第１のクリーニング装置
１５    除電部材
１６    潜像形成装置
１７    回転ローラー
１８    中間転写ベルト（像保持部材）
１９    一次転写ローラー
２０    二次転写ローラー
２１    第２のクリーニング装置
２２    給紙ローラー
２３    タイミングローラー
２４    定着装置
２５    排紙ローラー
１００  制御部
１１０  摩耗状態算出部
１１１  環境検出部
１１２  画像情報入力部
１１３  アクチュエーター動作部
１４０  クリーニングブレード
１４１  ブレード板金（支持部材）
１４２  回転軸
１４３  引張バネ
１４４  クリーニングハウジング
１４５、１４５ａ  ストッパー部材（切替部材）
１４６  アクチュエーター（移動装置）
Ｓ      記録シート
【図１】
2016126045.tif 000003
【図２】
2016126045.tif 000004
【図３】
2016126045.tif 000005
【図４】
2016126045.tif 000006
【図５】
2016126045.tif 000007
【図６】
2016126045.tif 000008